(57)【特許請求の範囲】
【請求項１】
ＬＥＤを一表面側に備え該一表面側と反対の他表面側から前記ＬＥＤで生じた熱を放熱させるユニット本体部と、該ユニット本体部を収納保持し熱伝導性材料により形成されてなる外殻部とを備え、前記外殻部は、前記ユニット本体部の側方側から外側に突出し、前記他表面側からの前記ＬＥＤの熱を熱伝導させ外部に放熱させる突出部を有するＬＥＤユニットと、
該ＬＥＤユニットの前記一表面側に備えられた前記ＬＥＤからの光を放出する前記ＬＥＤユニットの前面側に設けられる枠体と、
前記前面側と反対の前記ＬＥＤユニットの後面側に設けられる器具本体と、
を備えたＬＥＤ照明器具であって、
前記ＬＥＤユニットは、前記枠体と前記器具本体とで前記突出部が挟持されており、前記器具本体および前記枠体のうち少なくとも一方は、前記突出部に接触する部分を前記ＬＥＤからの熱を放熱させる熱伝導性部材で形成されてなることを特徴とするＬＥＤ照明器具。
【請求項２】
前記器具本体および前記枠体のうちの少なくとも一方は、前記器具本体または前記枠体に対する前記突出部の位置を位置決めする位置決め部を有することを特徴とする請求項１に記載のＬＥＤ照明器具。
【請求項３】
前記器具本体および前記枠体のうちの少なくとも一方は、前記器具本体および前記枠体が前記突出部を非挟持の状態で、前記器具本体または前記枠体に対して前記突出部を仮保持させる仮保持部を有することを特徴とする請求項１または請求項２に記載のＬＥＤ照明器具。
【請求項４】
前記突出部は、前記突出部が前記器具本体および前記枠体で挟持された状態で、前記器具本体側から前記ＬＥＤユニットへの通電が可能な通電部を有することを特徴とする請求項１または請求項２に記載のＬＥＤ照明器具。
【請求項５】
前記枠体は、前記突出部を介して熱伝導された前記ＬＥＤの熱を放熱させる放熱フィンを有することを特徴とする請求項１ないし請求項４のいずれか１項に記載のＬＥＤ照明器具。
【請求項６】
前記器具本体と前記枠体とは、前記器具本体および前記枠体が前記突出部を挟持した状態で、前記器具本体と前記枠体とを押圧保持する押圧保持部により挟持されてなることを特徴とする請求項１ないし請求項５のいずれか１項に記載のＬＥＤ照明器具。
【発明の詳細な説明】
【技術分野】
【０００１】
本発明は、ＬＥＤ照明器具に関するものである。
【背景技術】
【０００２】
従来から、ＬＥＤを光源として備えた様々な構造のＬＥＤ照明器具が提案されている（たとえば、特許文献１，２）。
【０００３】
ＬＥＤ照明器具として、特許文献１の照明器具は、図１５に示すように、ＬＥＤチップ１０９が実装される実装基板１０８を有している。照明器具は、底部１０３と筒部１０４とを一体にした形状であって内部に実装基板１０８が設置される器具本体１００と、ＬＥＤチップ１０９の前方に設けられレンズ１２０を有するレンズユニット１１８とを有している。また、照明器具は、レンズユニット１１８を器具本体１００に保持させるレンズユニット保持部１１５を有している。照明器具は、レンズユニット保持部１１５を筒部１０４の内側に設けることにより、器具本体１００の筒部１０４を外部に露出させている。
【０００４】
これにより、特許文献１の照明器具は、ＬＥＤチップ１０９が発生する熱を、筒部１０４から効率よく外部に放熱することができる、としている。
【０００５】
なお、特許文献１の照明器具は、実装基板１０８の背面が、熱伝導絶縁材１１１を介して金属からなるアダプタ１１２と密着している。また、照明器具は、器具本体１００の底部１０３にソケット１１４を収納する凹部分１０２を有している。照明器具は、実装基板１０８の電極１１３をソケット１１４に差し込むことにより、器具本体１００に実装基板１０８を保持している。照明器具は、レンズユニット保持部１１５のおねじ部１１７に対応する、めねじ部１０６を器具本体１００の筒部１０４の内側に設けている。照明器具は、レンズユニット保持部１１５の凸片１１９にレンズユニット１１８を係止させて器具本体１００に保持している。
【０００６】
また、特許文献２のＬＥＤ照明装置は、図１６に示すように、正面側に凹部からなる収容部２１１を備えるとともに、裏面側には収容部２１１に連続する複数のフィン２１６が形成された熱伝導性の筐体２１０を有している。ＬＥＤ照明装置は、収容部２１１の底面２１２上に配置されるＬＥＤ実装用基板２２０と、ＬＥＤ実装用基板２２０に実装される複数のＬＥＤ２３０とを有している。また、ＬＥＤ照明装置は、ＬＥＤ実装用基板２２０上に配置されるリフレクタ板２５０を有している。リフレクタ板２５０は、正面側に向かって拡径する複数の開口部２５１によってＬＥＤ２３０の各々の周囲にリフレクタ面を形成している。ＬＥＤ照明装置は、リフレクタ板２５０の正面側及び側面側を覆い、リフレクタ板２５０を位置決めし且つ押圧した状態で筐体２１０に固定されるレンズ板２７０を有している。レンズ板２７０は、開口部２５１と同数のレンズ部２７１を備え、各レンズ部２７１は対応する開口部２５１の上に位置している。
【０００７】
これによって、特許文献２のＬＥＤ照明装置は、ＬＥＤ２３０で生じた熱を効率よく放熱できる、としている。
【０００８】
なお、特許文献２のＬＥＤ照明装置は、リフレクタ板２５０上に光拡散シート２６０を載置して、レンズ板２７０をリフレクタ板２５０に被せている。ＬＥＤ照明装置は、レンズ板２７０の位置決め突起２７２が、光拡散シート２６０の切り欠き２６１、リフレクタ板２５０の切り欠き２５２およびＬＥＤ実装用基板２２０の孔２２２を通して、収容部２１１の孔２１４に挿入されるように構成している。ＬＥＤ照明装置は、ネジ２９０を、レンズ板２７０の切り欠き２７３内に設けたネジ孔およびＬＥＤ実装用基板２２０の孔２２２を通して収容部２１１の孔２１５に挿通できるように構成している。また、ＬＥＤ照明装置は、カバー２８０の裏面側に係止脚２８２が備えられ、係止脚２８２と収容部２１１の係止孔２１３とを利用してカバー２８０を筐体２１０に取り付けられるように構成している。ＬＥＤ照明装置は、レンズ部２７１の先端をカバー２８０の孔２８１から飛び出させるように構成している。
【先行技術文献】
【特許文献】
【０００９】
【特許文献１】特開２００４−３２７１３８号公報
【特許文献２】特開２０１０−４９８３０号公報
【発明の概要】
【発明が解決しようとする課題】
【００１０】
ところで、ＬＥＤ照明器具の光源となるＬＥＤは、年々、出力が向上しており、さらに、高出力化が図られている。ＬＥＤは、高出力化に伴い発熱量も大きくなる傾向にある。ＬＥＤは、ＬＥＤの発熱に伴い出力の低下や寿命が短くなるなどの弊害がある。そのため、ＬＥＤ照明器具は、より高い放熱性が求められており、発熱量のより大きいＬＥＤを光源とする場合、上述の特許文献１の照明器具や特許文献２のＬＥＤ照明装置の構造だけでは十分ではなく、更なる改良が求められている。
【００１１】
本発明は上記事由に鑑みて為されたものであり、その目的は、より放熱性に優れたＬＥＤ照明器具を提供することにある。
【課題を解決するための手段】
【００１２】
本発明のＬＥＤユニットは、ＬＥＤを一表面側に備え該一表面側と反対の他表面側から前記ＬＥＤで生じた熱を放熱させるユニット本体部と、該ユニット本体部を収納保持し熱伝導性材料により形成されてなる外殻部とを備え、前記外殻部は、前記ユニット本体部の側方側から外側に突出し、前記他表面側からの前記ＬＥＤの熱を熱伝導させ外部に放熱させる突出部を有するＬＥＤユニットと、該ＬＥＤユニットの前記一表面側に備えられた前記ＬＥＤからの光を放出する前記ＬＥＤユニットの前面側に設けられる枠体と、前記前面側と反対の前記ＬＥＤユニットの後面側に設けられる器具本体と、を備えたＬＥＤ照明器具であって、前記ＬＥＤユニットは、前記枠体と前記器具本体とで前記突出部が挟持されており、前記器具本体および前記枠体のうち少なくとも一方は、前記突出部に接触する部分を前記ＬＥＤからの熱を放熱させる熱伝導性部材で形成されてなることを特徴とする。
【００１４】
このＬＥＤ照明器具において、上記器具本体および上記枠体のうちの少なくとも一方は、上記器具本体または上記枠体に対する上記突出部の位置を位置決めする位置決め部を有することが好ましい。
【００１５】
このＬＥＤ照明器具において、上記器具本体および上記枠体のうちの少なくとも一方は、上記器具本体および上記枠体が上記突出部を非挟持の状態で、上記器具本体または上記枠体に対して上記突出部を仮保持させる仮保持部を有することが好ましい。
【００１６】
このＬＥＤ照明器具において、上記突出部は、上記突出部が上記器具本体および上記枠体で挟持された状態で、上記器具本体側から上記ＬＥＤユニットへの通電が可能な通電部を有することが好ましい。
【００１７】
このＬＥＤ照明器具において、上記枠体は、上記突出部を介して熱伝導された上記ＬＥＤの熱を放熱させる放熱フィンを有することが好ましい。
【００１８】
このＬＥＤ照明器具において、上記器具本体と上記枠体とは、上記器具本体および上記枠体が上記突出部を挟持した状態で、上記器具本体と上記枠体とを押圧保持する押圧保持部により挟持されてなることが好ましい。
【発明の効果】
【００２０】
本発明のＬＥＤ照明器具においては、より放熱性に優れたＬＥＤユニットを備えたＬＥＤ照明器具を提供することができる。
【図面の簡単な説明】
【００２１】
【図１】実施形態１のＬＥＤユニットの概略斜視図である。
【図２】同上のＬＥＤユニットを用いたＬＥＤ照明器具の分解斜視図である。
【図３】実施形態２のＬＥＤユニットの概略斜視図である。
【図４】同上のＬＥＤユニットを用いたＬＥＤ照明器具の分解斜視図である。
【図５】同上のＬＥＤユニットを用いた別のＬＥＤ照明器具の分解斜視図である。
【図６】実施形態３のＬＥＤ照明器具の分解斜視図である。
【図７】同上のＬＥＤ照明器具の組立工程の説明図である。
【図８】同上のＬＥＤ照明器具の組立工程の説明図である。
【図９】実施形態４のＬＥＤ照明器具の分解斜視図である。
【図１０】同上のＬＥＤ照明器具における要部の斜視図である。
【図１１】実施形態５のＬＥＤ照明器具の分解斜視図である。
【図１２】同上の別のＬＥＤ照明器具の分解斜視図である。
【図１３】実施形態６のＬＥＤ照明器具の概略斜視図である。
【図１４】同上のＬＥＤ照明器具の説明断面図である。
【図１５】従来の照明器具の概略断面図である。
【図１６】従来のＬＥＤ照明装置の分解斜視図である。
【発明を実施するための形態】
【００２２】
（実施形態１）
以下、本実施形態のＬＥＤユニット１０について、図１を用いて説明し、ＬＥＤユニット１０を用いたＬＥＤ照明器具２０について、図２を用いて説明する。
【００２３】
本実施形態のＬＥＤユニット１０は、図１に示すように、ＬＥＤ２を一表面１ａａ側に備え一表面１ａａ側と反対の他表面側（図１の紙面の下側）からＬＥＤ２で生じた熱を放熱させるユニット本体部１を備えている。また、ＬＥＤユニット１０は、ユニット本体部１を収納保持し熱伝導性材料により形成されてなる外殻部３を備えている。特に、本実施形態のＬＥＤユニット１０の外殻部３は、ユニット本体部１の側方側から外側に突出し、上記他表面側からのＬＥＤ２の熱を熱伝導させ外部に放熱させる突出部３ｂを有している。
【００２４】
また、本実施形態のＬＥＤユニット１０を用いた図２に示すＬＥＤ照明器具２０は、上述のＬＥＤユニット１０を備えている。ＬＥＤ照明器具２０は、ＬＥＤユニット１０の一表面１ａａ側に備えられたＬＥＤ２からの光を放出するＬＥＤユニット１０の前面１０ａ側に設けられる枠体１２を備えている。ＬＥＤ照明器具２０は、前面１０ａ側と反対のＬＥＤユニット１０の後面側（図２の紙面の下側）に設けられる器具本体１１を備えている。特に、ＬＥＤユニット１０は、枠体１２と器具本体１１とで突出部３ｂが挟持されている。また、器具本体１１および枠体１２のうち少なくとも一方は、突出部３ｂに接触する部分をＬＥＤ２からの熱を放熱させる熱伝導性部材で形成されている。
【００２５】
本実施形態のＬＥＤユニット１０は、ＬＥＤユニット１０の外殻部３の突出部３ｂにより、上記他表面側からのＬＥＤ２の熱を熱伝導させ外部に効率よく放熱させることが可能となる。すなわち、本実施形態のＬＥＤユニット１０は、より放熱性に優れたＬＥＤユニット１０の構造とすることが可能となる。
【００２６】
また、本実施形態のＬＥＤユニット１０を用いたＬＥＤ照明器具２０は、器具本体１１と枠体１２の間にＬＥＤユニット１０の突出部３ｂを挟持する構造とすることが可能となる。ＬＥＤ照明器具２０は、ＬＥＤユニット１０の突出部３ｂを挟持する構造をとることで、器具本体１１や枠体１２からも放熱をすることが可能となる。すなわち、ＬＥＤ照明器具２０は、より放熱性に優れたＬＥＤ照明器具２０の構造とすることが可能となる。さらに、ＬＥＤ照明器具２０は、ＬＥＤユニット１０の突出部３ｂを挟持する構造とすることで、ＬＥＤユニット１０自体を螺子止めなどにより固定する場合と比較して、組立易く、より量産性よくＬＥＤ照明器具２０を製造することも可能となる。
【００２７】
以下、本実施形態のＬＥＤユニット１０およびＬＥＤ照明器具２０について、より詳細に説明する。
【００２８】
本実施形態のＬＥＤユニット１０は、全体として外形形状が板状（たとえば、円板状）のユニット本体部１を有している。ＬＥＤユニット１０は、ユニット本体部１の一表面１ａａ側に、ＬＥＤチップ２ａを有するＬＥＤ２を複数個（ここでは、１３個）備えている。さらに、ＬＥＤユニット１０は、ユニット本体部１を収納保持し熱伝導性材料（たとえば、アルミニウム、銅やステンレス）により形成されてなる有底筒状（たとえば、有底円筒状）の外殻部３を備えている。ＬＥＤユニット１０は、ユニット本体部１の一表面１ａａ側に備えられたＬＥＤ２からの光を透過可能な透光性のカバー部１ａを好適に備えている。カバー部１ａは、たとえば、透光性樹脂やガラスで有底円筒状に形成されており、ＬＥＤ２を覆うようにユニット本体部１に取り付けられている。ＬＥＤユニット１０は、図示していないが、ユニット本体部１に外部からＬＥＤ２に給電して発光可能なように、ＬＥＤ２と電気的に接続される一対の電線を備えている。複数個のＬＥＤ２は、ユニット本体部１の一表面１ａａ側で回路パターン（図示していない）などによりそれぞれ電気的に直列接続されている。なお、複数個のＬＥＤ２は、電気的に直列接続させたものだけでなく、並列接続させたものでもよいし、直並列接続させたものでもよい。
【００２９】
ＬＥＤ２は、たとえば、内部にＬＥＤチップ２ａを有しており、ＬＥＤチップ２ａからの光を効率よく外部に放出可能な反射部を備えた樹脂ケースや透光性カバーなどを備えた構成とすることができる。ＬＥＤチップ２ａは、たとえば、ｐｎ接合を有し、青色光など所望の光を放出可能な窒化ガリウム系化合物半導体素子を用いて形成することができる。
【００３０】
すなわち、ＬＥＤ２は、ＬＥＤチップ２ａと、ＬＥＤチップ２ａを囲みＬＥＤチップ２ａからの光を反射する周壁部と、周壁部内のＬＥＤチップ２ａを覆う封止部などからなる樹脂ケースを備えた構造とすることができる。ＬＥＤ２は、ＬＥＤチップ２ａとして、青色ＬＥＤチップを有している。ＬＥＤ２は、青色ＬＥＤチップから放射される青色光により励起されてブロードな黄色光を放射する黄色蛍光体からなる蛍光体が封止部の透光性封止材料（たとえば、シリコーン樹脂、エポキシ樹脂、ガラスなど）に混合されている。ＬＥＤ２は、白色光を得る白色ＬＥＤを構成することができる。なお、ＬＥＤ２の蛍光体は、黄色蛍光体に限らず、たとえば、赤色蛍光体と緑色蛍光体とを用いてもよい。ＬＥＤ２は、紫ないし近紫外光を発光可能なＬＥＤチップ２ａと、赤色蛍光体、緑色蛍光体および青色蛍光体とを組み合わせて白色光を発光可能な白色ＬＥＤを構成してもよい。さらに、ＬＥＤ２は、赤色ＬＥＤチップと緑色ＬＥＤチップと青色ＬＥＤチップとを組み合わせて白色光を発光可能な白色ＬＥＤを構成してもよい。
【００３１】
また、ＬＥＤ２は、ＬＥＤチップ２ａを覆う透光性カバーに、ＬＥＤチップ２ａからの光の少なくとも一部を吸収し異なる波長の光に変換する蛍光体を含有させてもよい。すなわち、ＬＥＤ２は、たとえば、青色光を発光する窒化ガリウム系化合物半導体素子たるＬＥＤチップ２ａと、青色光を吸収し補色となる黄色光を発光する蛍光体を樹脂中に含有させた透光性カバーを有するものでもよい。これにより、ＬＥＤ２は、白色光を発光することができる。
【００３２】
本実施形態のＬＥＤユニット１０に用いられるユニット本体部１は、たとえば、ＬＥＤ２が実装された実装基板を内部に収容するアルミダイキャスト製の筐体とすることができる。なお、ユニット本体部１は、樹脂に比べて熱伝導性の高い材料として、アルミニウムだけに限らず、たとえば、銅やステンレスなどの金属により形成してもよい。また、ユニット本体部１は、熱伝導性に優れ上記回路パターンなどが形成可能な板状の実装基板自体を用いてもよい。本実施形態のＬＥＤユニット１０では、ユニット本体部１の形状を円形状としているが、これに限らず、たとえば、多角形状であってもよいし、楕円形状であってもよい。
【００３３】
実装基板は、たとえば、金属ベースプリント配線板を用いて形成されており、ＬＥＤ２に電気的に接続された一対の端子部が形成されている。実装基板は、金属ベースプリント配線板を用いているが、これに限らず、たとえば、セラミック基板、ガラスエポキシ基板などを用いてもよい。また、各端子部には、電線が半田からなる接合部（図示せず）を介して電気的に接続されている。一方の電線は、ＬＥＤ２のプラス側に接続された端子部と接続され、他方の電線は、ＬＥＤ２のマイナス側に接続された端子部と接続される。なお、実装基板は、ＬＥＤ２が実装される表面側に、ＬＥＤ２および各端子部以外の部位を覆う白色のレジスト層などからなる反射層（図示せず）が形成されている。実装基板は、ＬＥＤ２から放射された光が実装基板に吸収されるのを抑制することが可能としている。
【００３４】
ユニット本体部１は、実装基板との熱伝導性を高めるため、実装基板とユニット本体部１との間に図示していない電気絶縁性の放熱シートを配置してもよい。したがって、ユニット本体部１は、ＬＥＤ２で発生した熱を、放熱シートを通してユニット本体部１の上記他表面側から効率よく放熱させることが可能となる。また、本実施形態のＬＥＤユニット１０は、ＬＥＤ２で発生した熱を、実装基板、放熱シートおよびユニット本体部１を介してユニット本体部１の上記他表面側から外殻部３側へ放熱することが可能となる。
【００３５】
なお、放熱シートは、ゲル状で架橋密度が低く軟質で弾性を有するゲル状エラストマー材料からなるシリコーン樹脂を用いたシリコーンゲルシートを好適に使用している。放熱シートは、放熱シートの材料としてシリコーンゲルだけに限らず、電気絶縁性と熱伝導性を有し軟質なエラストマー材料（たとえば、アクリル樹脂材料）を用いることもできる。
【００３６】
次に、外殻部３は、ユニット本体部１を収納保持可能なユニット本体部１の外形形状より若干大きい有底円筒状に形成している。また、本実施形態のＬＥＤユニット１０の外殻部３は、ユニット本体部１の側方側から外側に突出し、ユニット本体部１の上記他表面側からのＬＥＤ２の熱を熱伝導させ外部に放熱させる一対の板状の突出部３ｂ，３ｂを有している。
【００３７】
言い換えれば、本実施形態のＬＥＤユニット１０の外殻部３は、有底円筒状の筒状部３ａの開口端部から外方へ延設され、枠体１２と器具本体１１とで挟持可能な突出部３ｂを有している。本実施形態のＬＥＤユニット１０は、平面視において、筒状部３ａから一体に連続する一対の板状の突出部３ｂ，３ｂを、筒状部３ａを介して対称な位置に設けている。突出部３ｂは、２つだけに限られず、３つ以上設けてもよいし、筒状部３ａの開口端部に沿って設けられた円環状の鍔を形成させてもよい。外殻部３は、突出部３ｂと筒状部３ａと一体に形成させてもよいし、別体に形成させてもよい。なお、外殻部３は、ユニット本体部１を収納し易いように、切欠部３ｃを好適に備えている。このような、外殻部３は、たとえば、樹脂と比較して、熱伝導性に優れたアルミニウム板、銅板やステンレス板などの押圧加工により形成することができる。
【００３８】
次に、本実施形態のＬＥＤユニット１０を備えたＬＥＤ照明器具２０について説明する。
【００３９】
ＬＥＤ照明器具２０は、図２に示すように、ＬＥＤユニット１の外殻部３から突出した突出部３ｂ，３ｂが、ＬＥＤユニット１０の後面側（図２の紙面の下側）に設けられる器具本体１１の凹部１１ａから階段状に形成された円環状の収容段部１１ｂに収容される。言い換えれば、ＬＥＤ照明器具２０は、器具本体１１の凹部１１ａに外殻部３の筒状部３ａを収納し、外殻部３の突出部３ｂを収容段部１１ｂに収容させることが可能に構成している。ここで、本実施形態のＬＥＤユニット１０を用いたＬＥＤ照明器具２０は、筒状部３ａが凹部１１ａの内底面と当接し、突出部３ｂが収容段部１１ｂと当接している。なお、各突出部３ｂは、突出部３ｂの先端部を円環状の収容段部１１ｂの内側壁の形状に沿った円弧状としている。
【００４０】
さらに、本実施形態のＬＥＤユニット１０を用いたＬＥＤ照明器具２０では、ＬＥＤユニット１０の前面１０ａ側に枠体１２を備えている。ＬＥＤ照明器具２０は、枠体１２と器具本体１１とでＬＥＤユニット１０における突出部３ｂを挟持できるように組み立てられる。ここで、ＬＥＤ照明器具２０は、器具本体１１および枠体１２の全体がそれぞれ、熱伝導性部材となるように、アルミニウム材料を用いて形成させている。そのため、器具本体１１および枠体１２は、アルミニウム材料からなる突出部３ｂと接触する部分からＬＥＤ２の熱を効率よく放熱させることができる。なお、器具本体１１および枠体１２の材料としては、アルミニウムを採用しているが、アルミニウム以外の金属を採用してもよい。
【００４１】
ＬＥＤ照明器具２０は、たとえば、ＬＥＤユニット１０を器具本体１１と枠体１２との間に挟持した状態で、図示していない組立ねじにより、器具本体１１と枠体１２とを固定できるように構成している。ＬＥＤ照明器具２０は、枠体１２と器具本体１１とを挟持させるには、組立ねじだけに限られない。ＬＥＤ照明器具２０は、ＬＥＤユニット１０を器具本体１１と枠体１２との間に挟持しており、ＬＥＤ照明器具２０を比較的簡便に組み立てることが可能となる。なお、ＬＥＤ照明器具２０は、ユニット本体部１の周部に、ＬＥＤ２と電気的に接続され切欠部３ｃ側から導出させた一対の電線（図示していない）が設けられている。電線は、器具本体１１に貫設させた貫設孔（図示していない）を通して外部と電気的に接続可能に構成している。
【００４２】
枠体１２は、円盤状の器具本体１１の外形形状と略一致させた外形形状を有している。枠体１２は、中央部に開口部１２ａが設けられており、開口部１２ａを塞ぐように透光性の前面パネル１３が設けられている。前面パネル１３は、たとえば、透光性材料（たとえば、シリコーン樹脂、アクリル樹脂、ガラスなど）により形成されている。ＬＥＤ照明器具２０は、前面パネル１３を介してＬＥＤ２からの光を外部に放射させる。なお、前面パネル１３は、平板状の形状でもよいしＬＥＤ２からの光を集光させたり拡散させたりさせるために、レンズ形状としてもよい。
【００４３】
より具体的には、本実施形態のＬＥＤユニット１０を備えたＬＥＤ照明器具２０は、ＬＥＤ２から放射された光を透過するアクリル製の前面パネル１３を枠体１２に備えさせている。ＬＥＤ照明器具２０は、突出部３ｂを枠体１２と器具本体１１との間に挟持する構造としている。突出部３ｂは、収容段部１１ｂに嵌め合わせる構造としている。ＬＥＤ照明器具２０は、器具本体１１の収容段部１１ｂに収容させる突出部３ｂを、気密封止用の封止材（たとえば、シリコーン樹脂など）により固定してもよい。封止材は、封止材の材料としてシリコーン樹脂を好適に用いているが、他の樹脂材料（たとえば、エポキシ樹脂やウレタン樹脂など）を使用してもよい。
【００４４】
本実施形態のＬＥＤユニット１０は、ＬＥＤユニット１０の後面側だけでなく、ユニット本体部１の側方側から外部に突出した突出部３ｂを介して外部にＬＥＤ２の熱を放熱させることが可能となり、放熱性を高めることが可能となる。また、本実施形態のＬＥＤユニット１０を備えたＬＥＤ照明器具２０は、外殻部３の突出部３ｂを枠体１２と器具本体１１との間で挟持することにより、ＬＥＤユニット１０を保持させている。そのため、ＬＥＤ照明器具２０は、比較的簡単にＬＥＤユニット１０を保持して組み立てることができ、ＬＥＤ照明器具２０の量産性を高めることが可能となる。
【００４５】
（実施形態２）
図３ないし図５に示す本実施形態におけるＬＥＤ照明器具２０は、図２に示す実施形態１の突出部３ｂに貫通孔３ｄを設け、器具本体１１または枠体１２に突出部３ｂの位置を位置決めする位置決め部を設けた構成としている。なお、実施形態１と同様の構成要素については、同一の符号を付して説明を適宜省略している。
【００４６】
本実施形態におけるＬＥＤ照明器具２０では、器具本体１１および枠体１２のうちの少なくとも一方は、器具本体１１または枠体１２に対する突出部３ｂの位置を位置決めする位置決め部を有している。
【００４７】
より具体的には、ＬＥＤ照明器具２０は、図４に示すように、器具本体１１に対する突出部３ｂの位置を位置決めする位置決め部として、ＬＥＤユニット１０の突出部３ｂに貫設された貫通孔３ｄを貫通する突起部１１ｄを器具本体１１に有している。すなわち、ＬＥＤ照明器具２０は、器具本体１１と枠体１２とで突出部３ｂを挟持するように組み立てる際、突出部３ｂに貫設させた貫通孔３ｄに、器具本体１１に設けた突起部１１ｄを挿通させる。これにより、ＬＥＤ照明器具２０は、ＬＥＤユニット１０を器具本体１１に位置決めさせることができる。
【００４８】
また、ＬＥＤ照明器具２０は、図５に示すように、枠体１２に対する突出部３ｂの位置を位置決めする位置決め部として、ＬＥＤユニット１０の突出部３ｂに貫設された貫通孔３ｄを貫通する突起部１２ｄを枠体１２に有するものでもよい。
【００４９】
本実施形態のＬＥＤユニット１０を用いたＬＥＤ照明器具２０は、ＬＥＤユニット１０を枠体１２と器具本体１１との間に挟持させる前に、器具本体１１や枠体１２に対する突出部３ｂの位置を予め位置決めする構成としてもよい。ＬＥＤ照明器具２０は、器具本体１１と枠体１２とで突出部３ｂを挟持するように組み立てる際、突出部３ｂに貫設させた貫通孔３ｄに、枠体１２に設けた突起部１２ｄを挿通させる。これにより、ＬＥＤ照明器具２０は、ＬＥＤユニット１０を枠体１２に位置決めさせることもできる。
【００５０】
ＬＥＤ照明器具２０は、器具本体１１および枠体１２のうち少なくとも一方が、器具本体１１または枠体１２に突出部３ｂの位置を位置決めさせることができる。すなわち、ＬＥＤ照明器具２０は、突起部１１ｄ，１２ｄをＬＥＤユニット１０の位置決め部として機能させることが可能となる。
【００５１】
本実施形態のＬＥＤユニット１０を備えたＬＥＤ照明器具２０は、比較的簡単にＬＥＤユニット１０を位置決めして組み立てることができ、量産性を高めることが可能となる。
【００５２】
（実施形態３）
本実施形態におけるＬＥＤ照明器具２０は、図４や図５に示す実施形態２のＬＥＤユニット１０を位置決めする位置決め部を備えるものの代わりに、図６ないし図８に示すように、突出部３ｂを仮保持させる仮保持部を有する点が相違する。なお、実施形態２と同様の構成要素については、同一の符号を付して説明を適宜省略している。
【００５３】
本実施形態におけるＬＥＤ照明器具２０には、枠体１２が枠体１２に突出部３ｂを仮保持させる仮保持部として機能する突起部１２ｄを有している。
【００５４】
突起部１２ｄは、図６に示すように、たとえば、円環状の枠体１２に対して軸方向が略垂直に突出した丸棒状の軸部１２ｄ１と、径大部１２ｄ２とを有してＴ字状の形状としている。また、突出部３ｂには、突起部１２ｄを挿通して保持できるように、径大部１２ｄ２の径よりも若干大きい挿通穴部３ｄ１と、挿通部３ｄ１と連通し径大部１２ｄ２よりも小さく軸部１２ｄ１の径よりも若干大きい挿通保持部３ｄ２とを有する貫通孔３ｄを備えている。ＬＥＤユニット１０は、平面視において、ユニット本体部１を対称として、貫通孔３ｄが一対の突出部３ｂそれぞれに設けられている。なお、一対の突出部３ｂそれぞれに設けた貫通孔３ｄは、枠体１２に対してＬＥＤユニット１０を回動可能なように、挿通部３ｄ１から互いに反対方向に挿通保持部３ｄ２が設けられている。
【００５５】
ＬＥＤユニット１０は、ＬＥＤ照明器具２０の組立時において、枠体１２の突起部１２ｄを貫通孔３ｄの挿通保持部３ｄ２に挿通させる（図７を参照）。また、ＬＥＤユニット１０は、挿通保持部３ｄ２から連通する挿通保持部３ｄ２で径大部１２ｄ２が保持できるように、枠体１２に対して回動させる（図７を参照）。これにより、ＬＥＤユニット１０は、枠体１２に仮保持させることが可能となる。
【００５６】
また、ＬＥＤ照明器具２０は、図示していないがＬＥＤユニット１０を器具本体１１に仮保持させる場合、たとえば、突出部３ｂに貫設させた貫通孔３ｄに器具本体１１に設けた図７の突起部３ｄと同様な形状の突起部（図示していない）を設けた構成としてもよい。ＬＥＤ照明器具２０は、ＬＥＤユニット１０の貫通孔３ｄに器具本体１１の突起部を挿通させ、ＬＥＤユニット１０を器具本体１１に仮保持させる構成としてもよい。
【００５７】
これにより、本実施形態のＬＥＤユニット１０を備えたＬＥＤ照明器具２０は、比較的簡単にＬＥＤユニット１０を保持して組み立てることができ、量産性を高めることが可能となる。
【００５８】
（実施形態４）
本実施形態における図９および図１０に示すＬＥＤ照明器具２０は、突出部３ｂに貫設させた貫通孔３ｄの縁部にＬＥＤユニット１０への通電が可能な通電部３ｅを備えた構成としている。なお、上述の各実施形態と同様の構成要素については、同一の符号を付して説明を適宜省略している。
【００５９】
本実施形態におけるＬＥＤ照明器具２０は、図９および図１０に示すように、突出部３ｂが器具本体１１および枠体１２で挟持された状態で、器具本体１１からＬＥＤユニット１０への通電を可能とする通電部３ｅを有している。
【００６０】
より具体的には、ＬＥＤ照明器具２０は、ＬＥＤユニット１０のユニット本体部１から導出する電線１ｂ，１ｂと電気的に接続された通電部３ｅを備えている。また、ＬＥＤ照明器具２０は、器具本体１１側には、ＬＥＤユニット１０側のコネクタを構成する通電部３ｅと接続されるコネクタ１１ｄが設けられている。ＬＥＤ照明器具２０は、器具本体１１側のコネクタ１１ｄに栓刃３ｅ１を挿入させた通電部３ｅ、通電部３ｅからの電線１ｂを介して、ＬＥＤユニット１０側のＬＥＤ２へ給電可能に構成している。
【００６１】
本実施形態におけるＬＥＤ照明器具２０は、通電部３ｅを、給電ユニット側となるコネクタ１１ｄと着脱自在に接続することが可能である。
【００６２】
したがって、本実施形態におけるＬＥＤ照明器具２０は、一対の電線１ｂ，１ｂの先端部に、電源ユニット１５側のコネクタ１１ｄと着脱自在に接続可能な通電部３ｅが設けられているので、ＬＥＤユニット１０の着脱時の接続作業を容易にし、ＬＥＤユニット１０の交換を比較的に容易に行うことが可能となる。
【００６３】
なお、本実施形態におけるＬＥＤ照明器具２０は、平面視において、筒状部３ａを介して、通電部３ｅと対称となる突出部３ｂの位置にＬＥＤ２と電気的に接続されていないダミーのコネクタ３ｆを設けている。また、ＬＥＤ照明器具２０は、平面視において、筒状部３ａを介して、コネクタ１１ｄと対称となる器具本体１１側の位置にＬＥＤ２と電気的に接続されないダミーのコネクタ１１ｆを備えている。ＬＥＤ照明器具２０は、ダミーのコネクタ３ｆにダミーのコネクタ１１ｆを接続可能としている。これにより、ＬＥＤ照明器具２０は、通電部３ｅとコネクタ１１ｄとを、また、ダミーのコネクタ３ｆとダミーのコネクタ１１ｆとをそれぞれ接続させて、ＬＥＤユニット１０を仮保持することができる。すなわち、コネクタ１１ｄとダミーのコネクタ１１ｆとは、器具本体１１に設けられた仮保持部として機能させることも可能となる。
【００６４】
（実施形態５）
図１１に示す本実施形態におけるＬＥＤ照明器具２０は、図６に示す実施形態３の外形が円環状の枠体１２を用いる代わりに、放熱フィン１２ｃを備えた枠体１２を用いる点が相違する。なお、実施形態３と同様の構成要素については、同一の符号を付して説明を適宜省略している。
【００６５】
本実施形態におけるＬＥＤ照明器具２０は、図１１に示すように、枠体１２は、突出部３ｂを介して熱伝導されたＬＥＤ２の熱を放熱させる放熱フィン１２ｃを有している。
【００６６】
より具体的には、ＬＥＤ照明器具２０は、平面視において、円環状の枠体１２の外周に沿って複数の放熱フィン１２ｃを放射状に有している。ＬＥＤ照明器具２０は、ＬＥＤユニット１０からのＬＥＤ２の熱を、突出部３ｂを介して枠体１２に熱伝導させ放熱フィン１２ｃから効率よく放熱させることが可能となる。
【００６７】
なお、ＬＥＤ照明器具２０は、枠体１２にだけＬＥＤ２からの熱を放熱させる放熱フィン１２ｃを設けるものに限られず、図１２に示すように、器具本体１１にもＬＥＤ２の熱を放熱させる複数の放熱フィン１１ｃを設けてもよい。
【００６８】
（実施形態６）
図１３に示すＬＥＤ照明器具２０は、図１２に示す実施形態５の器具本体１１および枠体１２の外周の全周に放熱フィン１１ｃ，１２ｃを設けたものを用いる代わりに、器具本体１１および枠体１２に、器具本体１１と枠体１２とを押圧保持する押圧保持部１４を備えた点が相違する。なお、実施形態５と同様の構成要素については、同一の符号を付して説明を適宜省略している。
【００６９】
本実施形態におけるＬＥＤ照明器具２０は、器具本体１１および枠体１２が突出部３ｂを挟持した状態で、図１３および図１４に示すように、器具本体１１と枠体１２とを押圧保持可能な押圧保持部１４を有している。
【００７０】
より具体的には、ＬＥＤ照明器具２０は、器具本体１１の外周に沿った側面の複数箇所（ここでは、４箇所）に放熱フィン１１ｃが設けられていない切欠周部１１ｈが形成されている。同様に、ＬＥＤ照明器具２０には、枠体１２の外周に沿った側面の複数箇所（ここでは、４箇所）に放熱フィン１２ｃが設けられていない切欠周部１２ｆが形成されている。ＬＥＤ照明器具２０は、器具本体１１の側面側の各切欠周部１１ｈに係止突起部１１ｇを有している（図１４を参照）。また、ＬＥＤ照明器具２０は、枠体１２における切欠周部１２ｆの位置に対応して、枠体１２の前面側（図１３の紙面の上側）に略矩形状の窪部１２ｇを有している。また、ＬＥＤ照明器具２０は、器具本体１１および枠体１２が突出部３ｂを挟持した状態で、器具本体１１と枠体１２とを押圧保持する断面視が略Ｊ字形状の押圧保持部１４を有している。押圧保持部１４は、たとえば、板状のステンレス材の折り曲げ加工により形成することができる。押圧保持部１４は、先端部に枠体１２の窪部１２ｇに係合可能な爪部１４ａを備えている。また、押圧保持部１４は、先端部の爪部１４ａと反対側に指掛部１４ｃを備えている。押圧保持部１４は、爪部１４ａと指掛部１４ｃとの間に、器具本体１１の係止突起部１１ｇと係止可能な係止部１４ｂを備えている。
【００７１】
押圧保持部１４は、枠体１２と器具本体１１とを押圧保持可能な弾性を備えた板状体から形成することができる。ＬＥＤ照明器具２０は、押圧保持部１４により、枠体１２と器具本体１１とを押圧保持させた場合、突出部３ｂは枠体１２と器具本体１１との間で挟持される。
【００７２】
押圧保持部１４は、押圧保持部１４を弾性変形させて、枠体１２に設けられた凹所１２ｇと器具本体１１に設けられた係止突起部１１ｇとにそれぞれ爪部１４ａと係止部１４ｂとを係止させることによって、器具本体１１と枠体１２とを押圧保持することが可能となる。
【００７３】
本実施形態におけるＬＥＤ照明器具２０は、押圧保持部１４により、器具本体１１および枠体１２が突出部３ｂを挟持した状態で、器具本体１１と枠体１２とを比較的簡単に押圧保持することが可能になる。
【００７４】
また、ＬＥＤ照明器具２０は、押圧保持部１４の指掛部１４ｃを器具本体１１から離れる方向に移動させることで、爪部１４ａを支点として、押圧保持部１４が湾曲し係止部１４ｂが係止突起部１１ｇから離れる。これにより、ＬＥＤ照明器具２０は、器具本体１１から枠体１２を着脱自在とすることが可能となる。
【符号の説明】
【００７５】
１  ユニット本体部
１ａａ  一表面
１ａｂ  他表面
２  ＬＥＤ
３  外殻部
３ｂ  突出部
３ｅ  通電部
１０  ＬＥＤユニット
１１  器具本体
１２  枠体
１２ｃ  放熱フィン
１４  押圧保持部
２０  ＬＥＤ照明器具
【図１】
0005857264.tif 000002
【図２】
0005857264.tif 000003
【図３】
0005857264.tif 000004
【図４】
0005857264.tif 000005
【図５】
0005857264.tif 000006
【図６】
0005857264.tif 000007
【図７】
0005857264.tif 000008
【図８】
0005857264.tif 000009
【図９】
0005857264.tif 000010
【図１０】
0005857264.tif 000011
【図１１】
0005857264.tif 000012
【図１２】
0005857264.tif 000013
【図１３】
0005857264.tif 000014
【図１４】
0005857264.tif 000015
【図１５】
0005857264.tif 000016
【図１６】
0005857264.tif 000017